(57)【要約】      （修正有）【課題】既存技術の不足に対し、一種の傘を提供する。【解決手段】中棒本体１、傘布と中棒本体を囲むように設けられた複数グループのフレームを含み、前記フレームは受骨７と親骨８を含み、前記親骨にダボ９が設けられ、前記受骨はヒンジでダボに接続され、前記傘布は中棒本体と親骨に合せて接続され、前記親骨は中実な柱であり、その横断面形状はＤ型であり、前記親骨は中棒本体に設けられ、且つ親骨の側平面は前記傘布に接触している。【選択図】図１
0003222193.tif 000002
【実用新案登録請求の範囲】
【請求項１】
中棒本体、傘布と中棒本体を囲むように設けられた複数グループのフレームを含み、前記フレームは受骨と親骨を含み、前記親骨にダボが設けられ、前記受骨はヒンジでダボに接続され、前記傘布は中棒本体と親骨に合せて接続され、前記親骨は中実な柱であり、その横断面形状はＤ型であり、前記親骨は中棒本体に設けられ、且つ親骨の側平面は前記傘布に接触していることを特徴とする傘。
【請求項２】
前記親骨はFRPで作られていることを特徴とする請求項1に記載の傘。
【請求項３】
前記ダボ、及び、前記受骨と前記ダボのヒンジ接続の接続端に髪挟み防止保護スリーブが設けられていることを特徴とする請求項1に記載の傘。
【請求項４】
前記髪挟み防止保護スリーブは布保護スリーブまたはソフトゴム保護スリーブであることを特徴とする請求項3に記載の傘。
【考案の詳細な説明】
【技術分野】
【０００１】
本考案は傘に関する技術分野に属し、特に一種の傘に関する。
【背景技術】
【０００２】
傘は日よけまたは雨よけの常用道具であり、日常生活の中で重要な役割を果たしているが、従来の傘の場合、普遍的に一つの問題がある。すなわち、しばらく使われると、親骨がわずかに変形し、傘を閉じる時に、親骨の記憶疲労度によって、親骨がわずかに曲がり、このまま続いていくと、親骨が厳しく変形し、傘の耐用期間を短縮させ、また、傘の中央位置に「膨らみ」が形成し、傘全体の美しさに影響する。この故に、これを改善する必要がある。
【考案の概要】
【考案が解決しようとする課題】
【０００３】
本考案の目的は上述された既存技術の不足に対し、一種の傘を提供することである。
【課題を解決するための手段】
【０００４】
本考案は、中棒本体、傘布と中棒本体を囲むように設けられた複数グループのフレームを含み、前記フレームが受骨と親骨を含み、前記親骨にダボが設けられ、前記傘布が中棒本体と親骨に合せて接続され、前記親骨が中実な柱であり、その横断面の形状がＤ型であり、前記親骨が中棒本体に合せて設けられ、且つ親骨の側平面が前記傘布に接触している一種の傘を提供する。
【０００５】
前記親骨はFRPで作られたものである。
【０００６】
前記ダボ、及び、前記受骨と前記ダボのヒンジ接続の接続端に髪挟み防止保護スリーブが設けられる。
【０００７】
前記髪挟み防止保護スリーブは布保護スリーブまたはソフトゴム保護スリーブである。
【０００８】
上述された構造を採用すると、既存技術と比べて、本考案は下記の利点を持っている。
【０００９】
１．中実なＤ型柱の親骨の曲げ強さが高く、安定性が良い。
【００１０】
２．親骨は中棒本体に合せて設けられ、且つ親骨の側平面は前記傘布に接触しているため、親骨と傘布との接触面積が大きくなり、親骨が滑りにくくなる。
【図面の簡単な説明】
【００１１】
【図１】本実用新案の構造イメージ図である。
【図２】本考案の親骨の断面図である。
【図３】図1の中にあるAの拡大図である。
【考案を実施するための形態】
【００１２】
下記に述べられたのは本考案の好ましい実施例のみであり、本考案はその実施例に限定されるものではない。以下は図面と実施例を参照して本考案についてより詳しく説明する。
【００１３】
本実施例は図1と図2に示された通りである。本実施例は一種の傘であり、中棒本体1、傘布と中棒本体1を囲むように設けられた複数グループのフレーム2を含む。中棒本体1は中棒3及び中棒3に合せて設けられた上ろくろ4、下ろくろ5とハンドル6を含む。フレーム2は受骨7と親骨8を含み、親骨8にダボ9が設けられる。受骨7の片端はヒンジでダボ9に接続される。親骨8の片端はジョイント10に接続される。親骨8はジョイント10を通じて上ろくろ4と接続される。受骨7のもう一つの片端は下ろくろ5に接続される。傘布は中棒本体1と親骨8に合せて接続されている。
【００１４】
親骨8は中実な柱であり、その横断面の形状はＤ型であり、親骨8は中棒本体1に合せて設けられ、且つ親骨8の側平面11が傘布と接触している。中実なＤ型柱の親骨8は曲げ強さが高く、安定性が良い。親骨8の側平面11は傘布に接触しており、親骨8と傘布との接触面積が大きくなり、親骨8は滑りにくくなる。
【００１５】
親骨8はFRPで作られたものであり、FRPは繊維強化プラスチックである。FRPの引張強さが高く、塑性変形はほとんど発生せず、引張時に応力、歪みは脆性破壊になるまで線形弾性を呈して上昇する。FRPは耐腐食性能と耐疲労性能が強いため、耐用期間が長い。FRPは比強度が高く、いわゆる軽量高強度であるため、FRP材料を採用すると構造の自重が軽減され、施工が簡単になる。その重量はふつう鋼材の20 %である。それゆえに、FRP製の親骨8は強度が良く、変形しにくく、耐用期間が長く、重量が軽いという利点を持っている。
【００１６】
ダボ9及び受骨7とダボ9のヒンジ接続の接続端に髪挟み防止保護スリーブ12が設けられる。髪挟み防止保護スリーブ12は布スリーブまたはソフトゴム保護スリーブである。傘を使う時に、手で傘を持つ高さの関係で、髪がよくフレーム2に接触する。普通の場合、フレーム2のダボ9及びダボ9と受骨7との接続部が露出しており、髪がダボ9及びダボ9と受骨7との接続部に挟まれたり、挟み落とされたりしやすく、同時に傘を差す人に痛みを覚えさせる。髪挟み防止保護スリーブ12はダボ9及びダボ9と受骨7との接続部に挟まれたり、挟み落とされたりすることを避けることができる。
【符号の説明】
【００１７】
1    ：中棒本体
2    ：フレーム
3    ：中棒
4    ：上ろくろ
5    ：下ろくろ
6    ：ハンドル
7    ：受骨
8    ：親骨
9    ：ダボ
10  ：ジョイント
11  ：測平面
12  ：髪挟み防止保護スリーブ
【図１】
0003222193.tif 000003
【図２】
0003222193.tif 000004
【図３】
0003222193.tif 000005
【手続補正書】
【提出日】令和1年5月15日(2019.5.15)
【手続補正１】
【補正対象書類名】実用新案登録請求の範囲
【補正対象項目名】全文
【補正方法】変更
【補正の内容】
【実用新案登録請求の範囲】
【請求項１】
中棒本体、傘布と中棒本体を囲むように設けられた複数グループのフレームを含み、前記フレームは受骨と親骨を含み、前記親骨にダボが設けられ、前記受骨はヒンジでダボに接続され、前記傘布は中棒本体と親骨に合せて接続され、前記親骨は中実な柱であり、その横断面形状はＤ型であり、前記親骨は中棒本体に設けられ、且つ親骨の側平面は前記傘布に接触していることを特徴とする傘。
【請求項２】
前記親骨はFRPで作られていることを特徴とする請求項1に記載の傘。
【請求項３】
前記ダボ、及び、前記受骨と前記ダボのヒンジ接続の接続端を被覆する、二股に分かれた保護スリーブが設けられていることを特徴とする請求項1に記載の傘。
【請求項４】
前記保護スリーブは布またはゴムであることを特徴とする請求項3に記載の傘。
【手続補正２】
【補正対象書類名】明細書
【補正対象項目名】００１６
【補正方法】変更
【補正の内容】
【００１６】
ダボ9及び受骨7とダボ9のヒンジ接続の接続端を被覆する、二股に分かれた髪挟み防止用保護スリーブ12が設けられる。髪挟み防止用保護スリーブ12は布スリーブまたはソフトゴム保護スリーブである。傘を使う時に、手で傘を持つ高さの関係で、髪がよくフレーム2に接触する。普通の場合、フレーム2のダボ9及びダボ9と受骨7との接続部が露出しており、髪がダボ9及びダボ9と受骨7との接続部に挟まれたり、挟み落とされたりしやすく、同時に傘を差す人に痛みを覚えさせる。髪挟み防止用保護スリーブ12はダボ9及びダボ9と受骨7との接続部に挟まれたり、挟み落とされたりすることを避けることができる。
【手続補正３】
【補正対象書類名】明細書
【補正対象項目名】００１７
【補正方法】変更
【補正の内容】
【００１７】
1    ：中棒本体
2    ：フレーム
3    ：中棒
4    ：上ろくろ
5    ：下ろくろ
6    ：ハンドル
7    ：受骨
8    ：親骨
9    ：ダボ
10  ：ジョイント
11  ：測平面
12  ：髪挟み防止用保護スリーブ